(57)【特許請求の範囲】
【請求項１】
所定の領域内で通信を行う第１の近距離通信装置と第２の近距離通信装置とを有する近距離通信システムであって、
前記第１の近距離通信装置が、
前記第１の近距離通信装置の通信領域内であることを通知する領域通知信号を送信する領域通知信号送信部と、
前記領域通知信号に基づくファイルの送信を要求するファイル送信要求を受信する受信部と、
前記ファイル送信要求である第１のファイル送信要求に基づいて、第１のファイルを送信し、前記第１のファイルの送信後に前記ファイル送信要求である第２のファイル送信要求を受信したときは、第２のファイルを送信するファイル送信部と、を備え、
前記第２の近距離通信装置が、
前記第１の近距離通信装置の通信領域内であることを通知する領域通知信号を受信する領域通知信号受信部と、
ファイルを受信するファイル受信部と、
前記領域通知信号に基づいて、前記ファイル送信要求である第１のファイルの送信を要求する第１のファイル送信要求を送信し、前記第１のファイルの受信後に前記領域通知信号を継続的に所定期間受信した場合に、前記ファイル送信要求である第２のファイルの送信を要求する第２のファイル送信要求を送信する送信部と、を備える、
近距離通信システム。
【請求項２】
所定の領域内で通信を行う近距離通信装置であって、
他の近距離通信装置の通信領域内であることを通知する領域通知信号を受信する領域通知信号受信部と、
ファイルを受信するファイル受信部と、
前記領域通知信号に基づいて、ファイル送信要求である第１のファイルの送信を要求するための第１のファイル送信要求を送信し、前記第１のファイルの受信後に前記領域通知信号を継続的に所定期間受信した場合に、ファイル送信要求である第２のファイルの送信を要求するための第２のファイル送信要求を送信する送信部と、
を有する近距離通信装置。
【請求項３】
請求項２に記載の通信を行う近距離通信装置であって、更に、
前記第１のファイルを受信した場合に、前記第１のファイルの受信を報知する報知部を有し、
前記送信部は、前記報知部が前記第１のファイルの受信を報知した後に前記領域通知信号を継続的に所定期間受信した場合に、ファイル送信要求である第２のファイルの送信を要求するための第２のファイル送信要求を送信する近距離通信装置。
【請求項４】
請求項２に記載の通信を行う近距離通信装置であって、
前記送信部は、前記第２のファイルの受信後に前記領域通知信号を継続的に所定期間受信した場合に、ファイル送信要求である送信対象の残りのファイルの送信を要求するための第３のファイル送信要求を送信する近距離通信装置。
【請求項５】
請求項４に記載の通信を行う近距離通信装置であって、更に、
前記第２のファイルを受信した場合に、前記第２のファイルの受信を報知する報知部を有し、
前記送信部は、前記報知部が前記第２のファイルの受信を報知した後に前記領域通知信号を継続的に所定期間受信した場合に、ファイル送信要求である第３のファイルの送信を要求するための第２のファイル送信要求を送信する近距離通信装置。
【請求項６】
請求項２に記載の通信を行う近距離通信装置であって、
前記送信部は、前記領域通知信号を継続的に所定期間受信した場合に、前記領域通知信号に基づいて前記第１のファイル送信要求を送信する近距離通信装置。
【請求項７】
請求項２に記載の近距離通信装置であって、更に、
ファイルの受信後に前記領域通知信号を継続的に所定期間受信したか否かを判定する継続判定部を有し、
前記送信部は、ファイルの受信後に前記領域通知信号を継続的に所定期間受信した場合に、ファイル送信要求を送信する近距離通信装置。
【請求項８】
請求項２に記載の近距離通信装置であって、更に、
ファイルの受信後に前記領域通知信号を継続的に所定期間受信したか否かを判定する継続判定部を有し、
前記送信部は、ファイルの受信後に前記領域通知信号を継続的に所定期間受信しなかった場合に、ファイル送信要求の送信を中止する近距離通信装置。
【請求項９】
請求項８に記載の近距離通信装置であって、
前記継続判定部は、ファイルの受信後に前記領域通知信号を継続的に所定期間受信しなかったと判定した場合において、前記領域通知信号受信部によって前記領域通知信号が再び受信されたときは、前記領域通知信号が再び受信された後に前記領域通知信号を継続的に所定期間受信したか否かを判定し、
前記送信部は、前記領域通知信号が再び受信された後に前記領域通知信号を継続的に所定期間受信したときは、ファイル送信要求の送信を再開する近距離通信装置。
【請求項１０】
請求項２ないし９のいずれか１項に記載の近距離通信装置であって、更に、
ファイルおよび前記ファイルの識別情報を含むファイル情報を記録するためのファイル記録部と、
前記ファイルおよび前記ファイル情報の内容を削除するためのファイル削除部と、
前記送信部によって前記ファイル送信要求を送信する際に、前記ファイルおよび前記ファイル情報の内容を削除しない第１のモード、前記ファイルおよび前記ファイル情報の内容を削除する第２のモードのいずれかのファイル転送モードを設定するモード設定部と、
を有する近距離通信装置。
【請求項１１】
請求項１０に記載の近距離通信装置であって、
前記モード設定部は、前記ファイル転送モードとして前記第１のモードを設定し、
前記送信部は、前記第１のファイル送信要求とともに、前記ファイル情報を送信する近距離通信装置。
【請求項１２】
請求項１０に記載の近距離通信装置であって、
前記モード設定部は、前記ファイル転送モードとして前記第２のモードを設定し、
前記ファイル削除部は、前記ファイルおよび前記ファイル情報の内容を削除し、
前記送信部は、前記第１のファイル送信要求とともに、内容を削除された前記ファイル情報を送信する近距離通信装置。
【請求項１３】
所定の領域内で通信を行うための近距離通信方法であって、
他の近距離通信装置の通信領域内であることを通知する領域通知信号を受信するステップと、
前記領域通知信号に基づいて、ファイル送信要求である第１のファイルの送信を要求するための第１のファイル送信要求を送信するステップと、
前記第１のファイル送信要求に基づく第１のファイルを受信するステップと、
前記第１のファイルの受信後に前記領域通知信号を継続的に所定期間受信した場合に、ファイル送信要求である第２のファイルの送信を要求するための第２のファイル送信要求を送信するステップと、
前記第２のファイル送信要求に基づく第２のファイルを受信するステップと、
を有する近距離通信方法。
【発明の詳細な説明】
【技術分野】
【０００１】
本発明は、所定の領域内に存在する他の近距離通信装置との間で無線通信を行う近距離通信装置及び近距離通信システム並びに近距離通信方法に関する。
【背景技術】
【０００２】
ユーザが携帯電話端末や携帯型情報端末（ＰＤＡ）のような携帯機器を所持している場合、動画像やテレビ番組のような所望のコンテンツのデータを予め携帯機器の記憶装置上に保存しておき、携帯機器上で必要なコンテンツを再生できると、ユーザは時間や場所の制約を受けることなくコンテンツを鑑賞できるため非常に便利である。
【０００３】
そのために、例えば、ＤＶＤレコーダなどの機器を用いて様々な動画像などのコンテンツのデータを蓄積しておき、必要に応じて、ＤＶＤレコーダから携帯機器の記憶装置上に必要なコンテンツのデータを転送することが想定される。
【０００４】
このようなデータ転送には、例えば近距離通信を用いることができる。近距離通信は、例えば、駅の改札口に設置される改札装置と電子マネーの機能を搭載したＩＣカードとの間で決済のためにデータ通信するような場合に利用されている。近距離通信では、例えば改札装置の読み取り部からの距離が数ｍｍ〜数十ｃｍ程度の近距離の範囲内にＩＣカードが存在する場合に限り、それらの間で非接触の通信が可能になる。近距離通信の機能は、例えば携帯電話端末など様々な機器に搭載され、様々な用途で利用される見込みである。
【０００５】
従来のデータ転送の一例として、携帯型情報端末を用いて所望のコンテンツの視聴を可能にするために、放送の受信により情報提供装置上にコンテンツのデータを蓄積し、このデータを赤外線データ通信機能を利用して情報提供装置から携帯型情報端末に高速で転送することが知られている。転送対象のコンテンツは、ユーザが携帯型情報端末上の操作部のボタンを操作することにより選択される（例えば、特許文献１参照）。
【０００６】
また、従来のデータ転送の別の一例として、ユーザがコンテンツを視聴している状態で、当該コンテンツに関連のある関連情報を自動的に選択し、この関連情報を近接通信機能を用いて、情報提供装置から携帯端末に転送することが知られている（例えば、特許文献２参照）。
【０００７】
また、近距離通信を利用したシステムの一例として、近距離無線通信を行う情報提供局と端末とで構成される情報交換システムが知られている。情報収集の効率を上げるために、位置情報を利用すると共に、既に受信済みの情報は受信しないことを提案している（例えば、特許文献３参照）。
【０００８】
【特許文献１】特開２００４−９６１７２号公報
【特許文献２】特開２００５−３９６２５号公報
【特許文献３】特開２００２−２２３４６６号公報
【発明の開示】
【発明が解決しようとする課題】
【０００９】
ところで、テレビ放送の受信により番組毎に得られるコンテンツのデータを、近距離通信によりサーバ装置から端末側に転送する場合、それぞれのコンテンツの転送に数秒程度が必要である。また、サーバ装置上に蓄積された大量のコンテンツを全て転送する場合、転送の所要時間は非常に長くなってしまう場合がある。従って、転送の所要時間を短縮するために転送するコンテンツの数を制限したい場合があり、例えばユーザがボタン操作を行うことにより、特定のコンテンツを転送対象として手動で選択する必要が生じる。
【００１０】
しかしながら、ユーザが特定のコンテンツを選択するための入力操作には、一般的に１回あたり数秒間〜十数秒間程度の時間が必要になる。従って、ユーザの入力操作にかかる時間の割合が大きく、この時間も含めると、実際には転送するコンテンツの数が少ない場合や、近距離通信の伝送速度が速い場合であっても、ユーザによるコンテンツの転送作業開始から転送作業完了するまでの実質的な所要時間が長くなるのは避けられず、転送作業を効率よく行うことができない。また、特定のコンテンツを選択するためのユーザの入力操作は、ユーザにとっても煩わしい場合が多い。
【００１１】
本発明は、上記事情を鑑みてなされたものであって、サーバ装置等から携帯端末等にコンテンツのデータを転送しようとする場合に、全体の転送所要時間を短縮可能にすると共に、ユーザへの負担も軽減可能な近距離通信装置及び近距離通信システム並びに近距離通信方法を提供することを目的とする。
【課題を解決するための手段】
【００１２】
上記目的を達成するために、本発明の第１の近距離通信システムは、所定の領域内で通信を行う第１の近距離通信装置と第２の近距離通信装置とを有する近距離通信システムであって、前記第１の近距離通信装置が、前記第１の近距離通信装置の通信領域内であることを通知する領域通知信号を送信する領域通知信号送信部と、前記領域通知信号に基づくファイルの送信を要求するファイル送信要求を受信する受信部と、前記ファイル送信要求である第１のファイル送信要求に基づいて、第１のファイルを送信し、前記第１のファイルの送信後に前記ファイル送信要求である第２のファイル送信要求を受信したときは、第２のファイルを送信するファイル送信部と、を備え、前記第２の近距離通信装置が、前記第１の近距離通信装置の通信領域内であることを通知する領域通知信号を受信する領域通知信号受信部と、ファイルを受信するファイル受信部と、前記領域通知信号に基づいて、前記ファイル送信要求である第１のファイルの送信を要求する第１のファイル送信要求を送信し、前記第１のファイルの受信後に前記領域通知信号を継続的に所定期間受信した場合に、前記ファイル送信要求である第２のファイルの送信を要求する第２のファイル送信要求を送信する送信部と、を備える、構成としている。
【００１３】
この構成により、サーバ装置等から携帯端末等にコンテンツのデータを転送しようとする場合に、全体の転送所要時間を短縮可能にすると共に、ユーザへの負担も軽減可能である。例えば、ユーザが、携帯端末をサーバ装置の通信領域内に存在させ続けるか、第１のファイルの受信後に携帯端末をサーバ装置の通信領域外に出すかによって、煩わしい操作なしで、簡単に、必要な数のファイル（コンテンツのデータなど）だけをサーバ装置から携帯端末に取り込むことができる。
【００２８】
また、本発明の第１の近距離通信装置は、所定の領域内で通信を行う近距離通信装置であって、他の近距離通信装置の通信領域内であることを通知する領域通知信号を受信する領域通知信号受信部と、ファイルを受信するファイル受信部と、前記領域通知信号に基づいて、ファイル送信要求である第１のファイルの送信を要求するための第１のファイル送信要求を送信し、前記第１のファイルの受信後に前記領域通知信号を継続的に所定期間受信した場合に、ファイル送信要求である第２のファイルの送信を要求するための第２のファイル送信要求を送信する送信部と、を有する。
【００２９】
この構成により、サーバ装置等から携帯端末等にコンテンツのデータを転送しようとする場合に、全体の転送所要時間を短縮可能にすると共に、ユーザへの負担も軽減可能である。例えば、ユーザが、携帯端末をサーバ装置の通信領域内に存在させ続けるか、第１のファイルの受信後に携帯端末をサーバ装置の通信領域外に出すかによって、煩わしい操作なしで、簡単に、必要な数のファイル（コンテンツのデータなど）だけをサーバ装置から携帯端末に取り込むことができる。
【００３０】
また、本発明の第２の近距離通信装置は、更に、前記第１のファイルを受信した場合に、前記第１のファイルの受信を報知する報知部を有し、前記送信部が、前記報知部が前記第１のファイルの受信を報知した後に前記領域通知信号を継続的に所定期間受信した場合に、ファイル送信要求である第２のファイルの送信を要求するための第２のファイル送信要求を送信する構成としている。
【００３１】
この構成により、例えば、ユーザは、報知部の報知（例えば、音または表示）によって、受信したファイルの数を確認して、ファイルの受信を続けるか否かを判断することが可能となる。
【００３２】
また、本発明の第３の近距離通信装置は、更に、前記送信部が、前記第２のファイルの受信後に前記領域通知信号を継続的に所定期間受信した場合に、ファイル送信要求である送信対象の残りのファイルの送信を要求するための第３のファイル送信要求を送信する構成としている。
【００３３】
この構成により、サーバ装置等から携帯端末等にコンテンツのデータを転送しようとする場合に、全体の転送所要時間を短縮可能にすると共に、ユーザへの負担も軽減可能である。例えば、ユーザが、携帯端末をサーバ装置の通信領域内に存在させ続けることによって、煩わしい操作なしで、簡単に、残りのファイル（コンテンツのデータなど）の送信要求を送信することができる。
【００３４】
また、本発明の第４の近距離通信装置は、更に、前記第２のファイルを受信した場合に、前記第２のファイルの受信を報知する報知部を有し、前記送信部が、前記報知部が前記第２のファイルの受信を報知した後に前記領域通知信号を継続的に所定期間受信した場合に、ファイル送信要求である第３のファイルの送信を要求するための第２のファイル送信要求を送信する構成としている。
【００３５】
この構成により、例えば、ユーザは、報知部の報知（例えば、音または表示）によって、受信したファイルの数を確認して、残りのファイル（コンテンツのデータなど）の受信を続けるか否かを判断することが可能となる。
【００３６】
また、本発明の第５の近距離通信装置は、前記送信部が、前記第１の領域通知信号を継続的に所定期間受信した場合、前記第１の領域通知信号に基づいて前記第１のファイル送信要求を送信する構成としている。
【００３７】
この構成により、例えば、継続的に所定時間にわたって領域通知信号を受信した場合にファイル要求信号を送信した後に、再び継続的に所定時間にわたって領域通知信号を受信した場合にファイル要求信号を送信することができるため、３ファイル以上のファイル受信が可能となる。
【００３８】
また、本発明の第６の近距離通信装置は、ファイルおよび前記ファイルの識別情報を含むファイル情報を記録するためのファイル記録部と、前記ファイルおよび前記ファイル情報の内容を削除するためのファイル削除部と、前記送信部によって前記ファイル送信要求を送信する際に、前記ファイルおよび前記ファイル情報の内容を削除しない第１のモード、前記ファイルおよび前記ファイル情報の内容を削除する第２のモードのいずれかのファイル転送モードを設定するモード設定部とを有する構成としている。
【００３９】
この構成により、例えば、ファイル転送する際の動作モードをユーザが設定することが可能となり、サーバ装置がユーザの希望するファイル転送方法でファイルの送信を行うことができる。
【００４０】
また、本発明の第７の近距離通信装置は、前記モード設定部が、前記ファイル転送モードとして前記第１のモードを設定し、前記送信部が、前記第１のファイル送信要求とともに、前記ファイル情報を送信する構成としている。
【００４１】
この構成により、ファイル送信要求の時点で記録されたファイルと同一のファイルはサーバ装置から転送されないようにすることができ、ネットワーク負荷を軽減した効率の良いファイルの受信を行うことができる。
【００４２】
また、本発明の第８の近距離通信装置は、前記モード設定部が、前記ファイル転送モードとして前記第２のモードを設定し、前記ファイル削除部が、前記ファイルおよび前記ファイル情報の内容を削除し、前記送信部が、前記第１のファイル送信要求とともに、内容を削除された前記ファイル情報を送信する構成としている。
【００４３】
この構成により、ファイル送信要求の時点で記録されたファイルと同一のファイルであってもサーバ装置から転送されるようにすることができ、その時点で最新のファイルを取得することが可能である。
【００４４】
また、本発明の第９の近距離通信装置は、前記領域通知信号受信部によって前記領域通知信号が受信された後に、さらに所定期間において継続的に領域通知信号の受信を示す継続判定受信が実施されたか否かを判定する継続判定部を有し、送信部が、前記継続判定受信が実施されたと判定された場合、前記領域通知信号に基づくファイル送信要求を送信する構成としている。
【００４５】
この構成により、例えば、サーバ装置と携帯端末とが所定期間にわたって所定距離以内に存在すれば、ファイル転送処理を中断することなく連続的に複数のファイルを送信することが可能である。
【００４６】
また、本発明の第１０の近距離通信装置は、前記領域通知信号受信部によって前記領域通知信号が受信された後に、さらに所定期間において継続的に領域通知信号の受信を示す継続判定受信が実施されたか否かを判定する継続判定部を有し、送信部が、前記継続判定受信が実施されなかったと判定された場合、前記領域通知信号に基づくファイル送信要求の送信を中止する構成としている。
【００４７】
この構成により、例えば、サーバ装置と携帯端末とが所定期間にわたって所定距離以内に存在しない場合には、ファイル転送処理を中断することが可能である。したがって、例えば、携帯端末が領域内に存在することをサーバ装置が認識できる程度に携帯端末を一時的にサーバ装置へ近づけ、その後携帯端末をサーバ装置から遠ざけることで、所定のファイルの受信をスキップさせることが可能である。
【００４８】
また、本発明の第１１の近距離通信装置は、前記継続判定部が、前記継続判定受信が実施されなかったと判定された場合、前記ファイル送信要求の送信の中止から所定期間内に、前記領域通知信号受信部によって領域通知信号を再び受信されたか否かを示す再開判定受信が実施されたか否かを判定し、前記再開判定受信が実施されたと判定された場合、再び前記継続判定受信が実施されたか否かを判定する構成としている。
【００４９】
この構成により、例えば、ファイル転送処理が中断された後であっても、再びサーバ装置と携帯端末とが所定期間にわたって所定距離以内に存在するようにすれば、ファイル転送処理を再開することが可能である。したがって、例えば、携帯端末をサーバ装置から遠ざけてファイル転送処理を中断させた後、再び携帯端末をサーバ装置に近づけることで、所定のファイルの受信のみをスキップさせ、そのファイル転送処理は実施することができる。
【００５２】
また、本発明の第１の近距離通信方法は、所定の領域内で通信を行うための近距離通信方法であって、他の近距離通信装置の通信領域内であることを通知する領域通知信号を受信するステップと、前記領域通知信号に基づいて、ファイル送信要求である第１のファイルの送信を要求するための第１のファイル送信要求を送信するステップと、前記第１のファイル送信要求に基づく第１のファイルを受信するステップと、前記第１のファイルの受信後に前記領域通知信号を継続的に所定期間受信した場合に、ファイル送信要求である第２のファイルの送信を要求するための第２のファイル送信要求を送信するステップと、前記第２のファイル送信要求に基づく第２のファイルを受信するステップと、を有する方法としている。
【００５３】
この方法により、サーバ装置等から携帯端末等にコンテンツのデータを転送しようとする場合に、全体の転送所要時間を短縮可能にすると共に、ユーザへの負担も軽減可能である。例えば、ユーザが、携帯端末をサーバ装置の通信領域内に存在させ続けるか、第１のファイルの受信後に携帯端末をサーバ装置の通信領域外に出すかによって、煩わしい操作なしで、簡単に、必要な数のファイル（コンテンツのデータなど）だけをサーバ装置から携帯端末に取り込むことができる。
【発明の効果】
【００５４】
本発明によれば、通信可能な領域が小さい近距離通信特有の通信特性を利用し、転送するコンテンツのファイル数の調整をユーザによる簡単な操作で実現できるので、全体の転送所要時間を短縮可能であり、転送対象コンテンツの選択に関するユーザの操作も容易になる。
【発明を実施するための最良の形態】
【００５５】
本発明の実施形態における近距離通信装置及び近距離通信システム並びに近距離通信方法について、図面を参照して以下に説明する。
【００５６】
（第１の実施形態）
図１は第１の実施形態における通信システム１００の構成の一例を示すブロック図である。通信システム１００は、サーバ装置１０および携帯端末２０を有する。通信システム１００では、サーバ装置１０から携帯端末２０に向けて近距離通信によりコンテンツのデータを転送することを想定している。サーバ装置１０としては、例えばＤＶＤレコーダやハードディスクレコーダのように、テレビ番組や他の動画像など、比較的情報量の大きいコンテンツのデジタルデータを大量に蓄積可能な装置が考えられる。携帯端末２０としては、例えば携帯電話端末や携帯型情報端末のように、デジタルコンテンツの再生機能を有し、持ち運びが容易な端末が考えられる。
【００５７】
尚、通信システム１００は「近距離通信システム」の一例である。また、サーバ装置１０および端末２０は「近距離通信装置」の一例である。
【００５８】
通信システム１００では、サーバ装置１０と携帯端末２０との間で通信が可能な状態は、両者の距離が例えば５０ｃｍ以下程度の所定領域の範囲内に限られる。この範囲を外れると、サーバ装置１０と携帯端末２０との間で相互に無線信号が届かなくなり通信が不可能な状態になる。したがって、例えばサーバ装置１０の位置が固定されている場合には、ユーザが携帯端末２０を手で持ち、携帯端末２０をサーバ装置１０に所定以上近づけることにより近距離通信が可能な状態になり、このユーザが携帯端末２０をサーバ装置１０から遠ざけると近距離通信ができない状態になる。
【００５９】
サーバ装置１０は、近距離通信部１１と、アンテナ１２と、制御部１３とを有して構成される。また、近距離通信部１１は、通信制御部１４と、無線通信部１５と、メモリ１６とを有して構成される。
【００６０】
制御部１３は、サーバ装置１０の全体の動作を制御する。
【００６１】
通信制御部１４は、メモリ１６の管理を行うメモリ管理機能、携帯端末２０が近距離通信の可能な領域内まで接近したかどうかを調べるために必要となる領域通知信号を生成する接近検出機能などを有する。この領域通知信号は、無線通信部１５を介してアンテナ１２から送信される。
【００６２】
無線通信部１５は、近距離通信によって送受信される信号に関する変復調等の処理を行う。また、無線通信部１５は、アンテナ１２を介してデータの送受信を行う。尚、無線通信部１５は、「領域通知信号送信部」、「受信部」、「ファイル送信部」としての機能を有する。
【００６３】
メモリ１６は、例えばテレビ番組や他の動画像などの各種コンテンツのデータをコンテンツ毎に独立したデータファイル群１６ａとして保持すると共に、保持しているコンテンツの一覧を表すファイルのリスト１６ｂを保持している。尚、メモリ１６は、「ファイル記録部」としての機能を有する。
【００６４】
メモリ１６が保持するデータファイル群１６ａの各コンテンツについては、例えば放送を受信しながら新たな番組を録画したり、適当な記録媒体から動画像等をコピーすることにより、逐次増やすことができ、不要になったコンテンツを削除することもできる。ファイルのリスト１６ｂには、データファイル群１６ａのコンテンツ一覧に関する最新の情報が保持され、必要に応じて内容は更新される。
【００６５】
データファイル群１６ａの各コンテンツは、例えば、コンテンツの録画日時や生成日時の新しい順番に従って優先度の最も高い１番目のデータファイルである「ファイル１」、その次に優先度の高い２番目のファイルである「ファイル２」、その次に優先度の高い３番目のファイルである「ファイル３」、・・・に順次割り当てられる。ファイルのリスト１６ｂには、優先度に応じて、「ファイル１」、「ファイル２」、「ファイル３」、・・・のファイル名を表す一覧情報が記録されている。
【００６６】
携帯端末２０は、近距離通信部２１と、アンテナ２２と、制御部２３とを有して構成される。また、近距離通信部２１は、通信制御部２４と、無線通信部２５と、メモリ２６と、報知部２７とを有して構成される。
【００６７】
制御部２３は、携帯端末２０の全体の動作を制御する。
【００６８】
通信制御部２４は、メモリ２６の管理を行うメモリ管理機能、サーバ装置１０が近距離通信の可能な領域内まで接近したかどうかを調べるために、サーバ装置１０から送信される領域通知信号の存在を検出する接近検出機能などを有する。
【００６９】
無線通信部２５は、近距離通信によって送受信される信号に関する変復調等の処理を行う。また、無線通信部２５は、アンテナ２２を介してデータの送受信を行う。尚、無線通信部２５は、「領域通知信号受信部」、「送信部」、「ファイル受信部」としての機能を有する。
【００７０】
メモリ２６は、携帯端末２０上で再生可能な各種コンテンツ等のデータを保持するために設けられた記憶装置である。メモリ２６は、コンテンツ毎に独立した複数ファイルのデータを保持するデータファイル群２６ａと、データファイル群２６ａが保持しているコンテンツの一覧を表すファイルのリスト２６ｂとを有する。尚、メモリ２６は、「ファイル記録部」としての機能を有する。
【００７１】
メモリ２６が保持する各コンテンツについては、近距離通信の機能を用いてサーバ装置１０からダウンロードすることもできるし、他の適当なインタフェースを利用して外部の機器から入力することもできるし、携帯端末２０が放送を受信するためのチューナを有する場合には放送から取得することもできる。
【００７２】
報知部２７は、無線通信部２５がファイルを受信した場合に、ファイルの受信を報知する。また、報知部２７は、最初のファイルを受信した場合と、２番目のファイルを受信した場合とで異なる報知をするようにしてもよい。
【００７３】
次に、通信システム１００における動作シーケンスについて説明する。図２は通信システム１００における動作シーケンスの一例を示す図である。
【００７４】
サーバ装置１０は、通信制御部１４が生成した領域通知信号ＳＧ１を送信する（ステップＳ１０１）。尚、領域通知信号ＳＧ１は短い周期で送信してもよく、また、連続的に送信してもよい。また、所定期間に継続的に送信してもよい。
【００７５】
携帯端末２０がサーバ装置１０の周囲所定の範囲内に存在する場合、携帯端末２０は、接近検出機能２４３が領域通信信号ＳＧ１を検出し、領域通信信号ＳＧ１に対する応答として領域検出応答信号ＳＧ２を送信する（ステップＳ１０２）。
【００７６】
サーバ装置１０は、領域検出応答信号ＳＧ２を受信すると、領域検出応答信号ＳＧ２に対する正常応答として、領域検出応答Ａｃｋ信号ＳＧ３を送信する（ステップＳ１０３）。
【００７７】
携帯端末２０は、領域検出応答Ａｃｋ信号ＳＧ３を受信すると、第１のファイル要求信号ＳＧ４を送信する（ステップＳ１０４）。第１のファイル要求信号ＳＧ４は、最も優先度の高い１番目のコンテンツのファイルの転送をサーバ装置１０に対して要求するための信号である。
【００７８】
サーバ装置１０は、第１のファイル要求信号ＳＧ４を受信すると、第１のファイル要求信号ＳＧ４に対する正常応答として、ファイル要求Ａｃｋ信号ＳＧ５を送信する（ステップＳ１０５）。
【００７９】
サーバ装置１０は、ファイル要求Ａｃｋ信号ＳＧ５の送信から少し遅れて、最も優先度の高い１番目のコンテンツのファイルに関するデータＤＴ１を送信する（ステップＳ１０６）。ここで１番目のコンテンツとして選択されるファイルは、メモリ１６上のファイルのリスト１６ｂ上に並んでいる複数のファイル名のうち、先頭に記述されている１つのデータファイルに相当する。
【００８０】
携帯端末２０は、データＤＴ１を受信し、データＤＴ１の受信動作が正常に完了したことを表すファイルデータ受信Ａｃｋ信号ＳＧ６を送信する（ステップＳ１０７）。また、このとき、携帯端末２０は、報知部２７が、第１のファイルを受信したこと（またはデータＤＴ１の受信動作が正常に完了したこと）を報知するようにすることもできる。
【００８１】
サーバ装置１０は、ファイルデータ受信Ａｃｋ信号ＳＧ６を受信した直後から所定期間（第１の期間）にわたって、領域通知信号ＳＧ７を短い周期で繰り返し送信する（ステップＳ１０８）。尚、領域通知信号ＳＧ７は、連続的に送信されてもよい。また、所定期間に継続的に送信してもよい。
【００８２】
携帯端末２０は、通信制御部２４が第１の期間にわたって継続的に領域通知信号ＳＧ７を検出した場合、第１の期間の経過直後に、第２のファイル要求信号ＳＧ８を送信する（ステップＳ１０９）。第２のファイル要求信号ＳＧ８は、優先順位が２番目のコンテンツのファイルを要求するための信号である。図２では、第１の期間内にサーバ装置１０と携帯端末２０との距離が大きく変化しない（例えば、ユーザが携帯端末２０を動かさない）場合を想定している。例えば、ユーザが携帯端末２０を動かさない場合には、通信制御部２４が第１の期間にわたって継続的に領域通知信号ＳＧ７を検出し、第１の期間の経過直後に、第２のファイル要求信号ＳＧ８を送信することとなる。
【００８３】
サーバ装置１０は、第２のファイル要求信号ＳＧ８を受信すると、第２のファイル要求信号ＳＧ８に対する応答として、優先度が２番目に高い２番目のコンテンツのファイルに関するデータＤＴ２を送信する（ステップＳ１１０）。ここで２番目のコンテンツとして選択されるファイルは、メモリ１６上のファイルのリスト１６ｂ上に並んでいる複数のファイル名のうち、２番目に記述されている１つのデータファイルに相当する。
【００８４】
携帯端末２０は、データＤＴ２を受信し、データＤＴ２の受信動作が正常に完了したことを表すファイルデータ受信Ａｃｋ信号ＳＧ９を送信する（ステップＳ１１１）。また、このとき、携帯端末２０は、報知部２７が、第２のファイルを受信したこと（またはデータＤＴ２の受信動作が正常に完了したこと）を報知するようにすることもできる。
【００８５】
サーバ装置１０は、ファイルデータ受信Ａｃｋ信号ＳＧ９を受信した直後から所定期間（第２の期間）にわたって、領域通知信号ＳＧ１０を短い周期で繰り返し送信する（ステップＳ１１２）。尚、領域通知信号ＳＧ１０は、連続的に送信されても良い。また、所定期間に継続的に送信してもよい。
【００８６】
携帯端末２０は、通信制御部２４が第２の期間にわたって継続的に領域通知信号ＳＧ７を検出した場合、第２の期間の経過直後に、第３のファイル要求信号ＳＧ１１を送信する（ステップＳ１１３）。第３のファイル要求信号ＳＧ１１は、優先順位が３番目のコンテンツのファイルを要求するための信号である。図２では、第２の期間内にサーバ装置１０と携帯端末２０との距離が大きく変化しない（例えば、ユーザが携帯端末２０を動かさない）場合を想定している。例えば、ユーザが携帯端末２０を動かさない場合には、通信制御部２４が第２の期間にわたって継続的に領域通知信号ＳＧ７を検出し、第２の期間の経過直後に、第３のファイル要求信号ＳＧ１１を送信することとなる。
【００８７】
サーバ装置１０は、第３のファイル要求信号ＳＧ１１を受信すると、第３のファイル要求信号ＳＧ１１に対する応答として、優先度が３番目に高い３番目のコンテンツのファイルに関するデータＤＴ３を送信する（ステップＳ１１４）。ここで、３番目のコンテンツとして選択されるファイルは、メモリ１６上のファイルのリスト１６ｂ上に並んでいる複数のファイル名のうち、３番目に記述されている１つのデータファイルに相当する。
【００８８】
携帯端末２０は、データＤＴ３を受信し、データＤＴ３の受信動作が正常に完了したことを表すファイルデータ受信Ａｃｋ信号ＳＧ１２を送信する（ステップＳ１１５）。
【００８９】
なお、ステップＳ１１５以降で、上記と同様の動作を繰り返すことにより、４以上のコンテンツのデータファイルを転送することも可能である。但し、例えばユーザの操作によって携帯端末２０がサーバ装置１０から遠ざけられた場合など、サーバ装置１０と携帯端末２０との距離が所定以上となった場合には、その時点で近距離通信ができなくなる。この場合、例えばユーザが携帯端末２０をサーバ装置１０に近づけたり遠ざけたりするだけの極めて単純な操作に応答して、近距離通信で転送されるコンテンツの数などを変更することが可能になる。
【００９０】
また、以上のステップＳ１１３などの説明では、第３のファイル要求信号ＳＧ１１は、優先順位が３番目のコンテンツのファイルを要求するための信号であるとしたが、第３のファイル要求信号ＳＧ１１は、送信対象の残りのファイルを要求するための信号とすることもできる。この場合、以上のステップＳ１１４などの説明では、サーバ装置１０は、第３のファイル要求信号ＳＧ１１を受信すると、第３のファイル要求信号ＳＧ１１に対する応答として、優先度が３番目に高い３番目のコンテンツのファイルに関するデータＤＴ３を送信することとしたが、第３のファイル要求信号ＳＧ１１に対する応答として、送信対象の残りのファイルに関するデータを送信するようにすることもできる。
【００９１】
次に、サーバ装置１０がファイル転送処理を行う場合の動作について説明する。図３はサーバ装置１０がファイル転送処理を行う場合の動作の一例を示す図である。
【００９２】
ステップＳ１１では、通信制御部１４が、領域通知信号（図２のＳＧ１に相当）を生成し、無線通信部１５が、アンテナ１２を介して領域通知信号を送信する（ステップＳ１１）。これにより、近距離通信が可能な所定領域内に携帯端末２０が存在するかどうかを調べることができる。尚、領域通知信号の送信は、所定期間（例えば１秒間程度）にわたって繰り返され、もしくは連続的に行われるようにしてもよい。
【００９３】
ステップＳ１２では、無線通信部１５が、領域通知信号に対する応答として携帯端末２０からの第１のファイル要求信号（図２のＳＧ４に相当）を受信したかどうかを確認する。第１のファイル要求信号を受信できなければ、ステップＳ１１に戻って領域通知信号の送信を繰り返し、第１のファイル要求信号を受信した場合には次のステップＳ１３に進む。
【００９４】
ステップＳ１３では、通信制御部１４が、ファイルのリスト１６ｂの内容に基づいて、優先度の最も高い第１のファイルをデータファイル群１６ａの中から選択し、無線通信部１５が、この第１のファイルのデータ（図２のＤＴ１に相当）をアンテナ１２を介して送信する。
【００９５】
ステップＳ１４では、第１のファイルのデータの送信が完了すると、無線通信部１５が、領域通知信号（図２のＳＧ７に相当）をアンテナ１２を介して繰り返し送信する。領域通知信号の送信は、所定期間（例えば１秒間程度）にわたって繰り返され、もしくは連続的に行われる。
【００９６】
ステップＳ１５では、無線通信部１５が、上記所定期間の間に、領域通知信号に対する応答として携帯端末２０からの第２のファイル要求信号（図２のＳＧ８に相当）を受信したかどうかを確認する。ステップＳ１５で所定期間内に第２のファイル要求信号を受信した場合には次のステップＳ１６に進むが、所定期間内に第２のファイル要求信号を受信しない場合には図３の処理を終了する。
【００９７】
従って、例えば、携帯端末２０の位置をサーバ装置１０に接近した状態で維持している場合には、所定期間内にサーバ装置１０が第２のファイル要求信号を受信できるが、所定期間内にユーザが携帯端末２０をサーバ装置１０から遠ざけると、第１のファイルに続くファイルの転送は開始されず、転送されるファイル数は１個だけになる。
【００９８】
ステップＳ１６では、通信制御部１４が、サーバ装置１０はファイルのリスト１６ｂの内容に基づいて、優先度が２番目に高い第２のファイルをデータファイル群１６ａの中から選択し、無線通信部１５が、この第２のファイルのデータ（図２のＤＴ２に相当）をアンテナ１２を介して送信する。
【００９９】
ステップＳ１７では、第２のファイルのデータの送信が完了すると、無線通信部１５が、領域通知信号（図２のＳＧ１０に相当）をアンテナ１２を介して繰り返し送信する。領域通知信号の送信は、所定期間（例えば１秒間程度）にわたって繰り返され、もしくは連続的に行われる。
【０１００】
ステップＳ１８では、無線通信部１５が、上記所定期間の間に、領域通知信号に対する応答として携帯端末２０からの第３のファイル要求信号（図２のＳＧ１１に相当）を受信したかどうかを確認する。ステップＳ１８で所定期間内に第３のファイル要求信号を受信した場合には次のステップＳ１９に進むが、所定期間内に第３のファイル要求信号を受信しない場合には図３の処理を終了する。
【０１０１】
従って、例えば、携帯端末２０の位置をサーバ装置１０に接近した状態で維持している場合には、所定期間内にサーバ装置１０が第３のファイル要求信号を受信できるが、所定期間内にユーザが携帯端末２０をサーバ装置１０から遠ざけると、第２のファイルに続くファイルの転送は開始されず、転送されるファイル数は２個になる。
【０１０２】
ステップＳ１９では、通信制御部１４が、サーバ装置１０はファイルのリスト１６ｂの内容に基づいて、優先度が３番目に高い第３のファイルをデータファイル群１６ａの中から選択し、無線通信部１５が、この第３のファイルのデータ（図２のＤＴ３に相当）をアンテナ１２を介して送信する。
【０１０３】
図３では、最大で３つのファイルを転送する場合を想定しているが、ステップＳ１７〜Ｓ１９の処理を繰り返すことにより、４以上のファイル転送にも対応できる。
【０１０４】
次に、携帯端末２０が転送されたファイルを受信するファイル受信処理を行う場合の動作について説明する。図４は携帯端末２０がファイル受信処理を行う場合の動作の一例を示す図である。
【０１０５】
ステップＳ２１では、無線通信部２５が受信した信号の中から、通信制御部２４が、サーバ装置１０から送信される領域通知信号（図２のＳＧ１に相当）の検出を試みる。これにより、通信相手となるサーバ装置１０との間で近距離通信が可能な領域に入っているかどうかを確認することができる。領域通知信号の検出に成功すると、携帯端末２０の処理はステップＳ２２に進む。
【０１０６】
ステップＳ２２では、第１のファイルの転送を開始するために、サーバ装置１０に向けて、無線通信部２５が、第１のファイル要求信号（図２のＳＧ４に相当）を送信する。この要求に対して、サーバ装置１０が第１のファイルのデータ（図２のＤＴ１に相当）を送信するので、無線通信部２５が、第１のファイルのデータを受信する。
【０１０７】
尚、第１のファイルの受信が完了した際に、それをユーザに通知するようにしてもよい。この場合、例えば、制御部２３が、携帯端末２０の表示画面上に、該当するコンテンツのファイル名とともに「１番目のファイル転送完了」のようなメッセージの表示を行うよう指示するか、または合成音声や音響を用いて第１のファイル転送が終了したことをユーザに通知するように指示する。
【０１０８】
ステップＳ２３では、第１のファイルの受信が完了した後、無線通信部２５が、サーバ装置１０から送信される領域通知信号（図２のＳＧ７）の受信を試みる。そして、所定期間（図２に示す第１の期間：例えば１秒間程度）内に継続的に領域通知信号を検出できた場合には次のステップＳ２４に進み、所定期間を経過するまでの間に領域通知信号を検出できない場合には図４に示す処理を終了する。
【０１０９】
ステップＳ２４では、第２のファイルの転送を開始するために、サーバ装置１０に向けて、無線通信部２５が、第２のファイル要求信号（図２のＳＧ８に相当）を送信する。この要求に対して、サーバ装置１０が第２のファイルのデータ（図２のＤＴ２に相当）を送信するので、無線通信部２５が、第２のファイルのデータを受信する。
【０１１０】
尚、第２のファイルの受信が完了した際に、それをユーザに通知するようにしてもよい。この場合、例えば、制御部２３が、携帯端末２０の表示画面上に、該当するコンテンツのファイル名とともに「２番目のファイル転送完了」のようなメッセージの表示を行うよう指示するか、または合成音声や音響を用いて第２のファイル転送が終了したことをユーザに通知するように指示する。
【０１１１】
ステップＳ２５では、第２のファイルの受信が完了した後、無線通信部２５が、サーバ装置１０から送信される領域通知信号（図２のＳＧ１０）の受信を試みる。そして、所定期間（図２に示す第２の期間：例えば１秒間程度）内に継続的に領域通知信号を検出できた場合には次のステップＳ２６に進み、所定期間を経過するまでの間に領域通知信号を検出できない場合には図４に示す処理を終了する。
【０１１２】
ステップＳ２６では、第３のファイルの転送を開始するために、サーバ装置１０に向けて、無線通信部２５が、第３のファイル要求信号（図２のＳＧ１１に相当）を送信する。この要求に対して、サーバ装置１０が第３のファイルのデータ（図２のＤＴ３に相当）を送信するので、無線通信部２５が、第３のファイルのデータを受信する。
【０１１３】
尚、第３のファイルの受信が完了した際に、それをユーザに通知するようにしてもよい。この場合、例えば、制御部２３が、携帯端末２０の表示画面上に、該当するコンテンツのファイル名とともに「３番目のファイル転送完了」のようなメッセージの表示を行うよう指示するか、または合成音声や音響を用いて第３のファイル転送が終了したことをユーザに通知するように指示する。
【０１１４】
従って、サーバ装置１０と携帯端末２０とが通信可能な状態（例えば、携帯端末２０をサーバ装置１０に接近させた状態）を維持していれば、サーバ装置１０から携帯端末２０に対して、第１のファイル、第２のファイル、第３のファイルのそれぞれのコンテンツが順番に転送されることになる。
【０１１５】
一方、第１のファイルの転送が完了した後に、サーバ装置１０と携帯端末２０とが通信不可能な状態（例えば、ユーザが携帯端末２０をサーバ装置１０から遠ざけた状態）となると、その時点でファイル転送は終了し、１つのファイルだけが転送される。同様に、第２のファイルの転送が完了した後に、サーバ装置１０と携帯端末２０とが通信不可能な状態（例えば、ユーザが携帯端末２０をサーバ装置１０から遠ざけた状態）となると、その時点でファイル転送は終了し、２つのファイルだけが転送される。
【０１１６】
つまり、例えば、携帯端末２０をサーバ装置１０に対して近づけたり遠ざけたりする極めて単純な操作をユーザが行うだけで、転送するファイルの数を変更することができ、ボタン操作等を行う必要はない。
【０１１７】
尚、ステップＳ２２、Ｓ２４、Ｓ２６において、ファイルの受信が完了した時点でそれぞれの受信完了をユーザに通知するように構成してもよいが、更に、ファイルの転送を行わなかった場合にそれをユーザに通知しても良い。例えば、ステップＳ２３で領域通知信号が検出できなくなった場合に、「２番目以降のファイルは転送しません」とメッセージを表示したり、転送完了時とは種類が異なる音響を出力したりしてもよい。また、ファイルの転送時には携帯端末２０がサーバ装置１０の近傍に存在するので、このようなユーザへの通知を、携帯端末２０の代わりにサーバ装置１０による表示や音響出力によって行っても良い。
【０１１８】
このような通信システム１００によれば、サーバ装置１０から携帯端末２０にコンテンツのデータを転送しようとする場合に、全体の転送所要時間を短縮可能にすると共に、ユーザへの負担も軽減可能である。
【０１１９】
尚、具体的なファイル転送時間としては、例えば、それぞれのコンテンツのファイルサイズが５００Ｍバイトの場合、１Ｇｂｐｓの転送速度で近距離通信を行う場合には、約４秒間で１つのファイルを転送できることになる。従って、ユーザが何も操作しなくても、４秒間に渡って１番目のファイル転送を実行した後、１秒程度の間をおいて２番目のファイル転送が開始され、それから４秒間程度で２番目のファイル転送が終了し、その後１秒程度の間をおいて３番目のファイル転送が開始され、それから４秒間程度で３番目のファイル転送が終了することになる。従って、操作が簡単でしかも効率よくファイルを転送できる。
【０１２０】
尚、ここでは、サーバ装置１０において、近距離通信部１１内にメモリ１６を備えることを説明したが、制御部１３がデータファイルを保存する機能を有することで、メモリ１６を備えないようにしてもよい。同様に、携帯端末２０において、近距離通信部２１内にメモリ２６を備えることを説明したが、制御部２３がデータファイルを保存する機能を有することで、メモリ２６を備えないようにしてもよい。
【０１２１】
尚、サーバ装置１０が、メモリ１６に保持されるデータファイル群１６ａに、例えば録画ファイルの種類（ドラマ、映画等）を付し、携帯端末２０が、視聴履歴を記録し、視聴履歴において最も視聴頻度の高いファイルの種類等、所定の属性情報を備えたファイルを要求してもよい。
【０１２２】
（第２の実施形態）
図５は本発明の第２の実施形態における通信システム１００の構成の一例を示す図である。通信システム２００において、通信システム１００と同一の構成については、同一の符号を付し、説明を省略または簡略化する。
【０１２３】
通信システム２００は、サーバ装置１０Ｂおよび携帯端末２０Ｂを有する。通信システム２００では、サーバ装置１０Ｂから携帯端末２０Ｂに向けて近距離通信によりコンテンツのデータを転送することを想定している。サーバ装置１０Ｂとしては、例えばＤＶＤレコーダやハードディスクレコーダのように、テレビ番組や他の動画像など、比較的情報量の大きいコンテンツのデジタルデータを大量に蓄積可能な装置が考えられる。携帯端末２０Ｂとしては、例えば携帯電話端末や携帯型情報端末のように、デジタルコンテンツの再生機能を有し、持ち運びが容易な端末が考えられる。
【０１２４】
通信システム２００では、サーバ装置１０Ｂと携帯端末２０Ｂとの間で通信が可能な状態は、両者の距離が例えば５０ｃｍ以下程度の所定領域の範囲内に限られる。この範囲を外れると、サーバ装置１０Ｂと携帯端末２０Ｂとの間で相互に無線信号が届かなくなり通信が不可能な状態になる。したがって、例えばサーバ装置１０Ｂの位置が固定されている場合には、ユーザが携帯端末２０Ｂを手で持ち、携帯端末２０Ｂをサーバ装置１０Ｂに所定以上近づけることにより近距離通信が可能な状態になり、このユーザが携帯端末２０Ｂをサーバ装置１０Ｂから遠ざけると近距離通信ができない状態になる。
【０１２５】
尚、通信システム２００は「近距離通信システム」の一例である。また、サーバ装置１０Ｂ、携帯端末２０Ｂは「近距離通信装置」の一例である。
【０１２６】
通信システム２００は、ファイル転送処理におけるファイル転送モードとして、第１のモードおよび第２のモードの２つのモードを有する。第１のモードでは、携帯端末２０Ｂが、第１のファイル要求信号（ＳＧ４）を送信する際に、第１のファイル要求時にメモリ２６内に記録されているデータファイル群２６ａの情報をリスト２６ｂが保持した状態で、リスト２６ｂをサーバ装置１０Ｂへ送信する。第２のモードでは、携帯端末２０Ｂが、第１のファイル要求信号（ＳＧ４）を送信する際に、第１のファイル要求時にメモリ２６内に記録されているデータファイル群２６ａの情報をリスト２６ｂから削除し、リスト２６ｂをサーバ装置１０Ｂへ送信する。
【０１２７】
サーバ装置１０Ｂは、近距離通信部１１Ｂと、アンテナ１２と、制御部１３とを有して構成される。また、近距離通信部１１Ｂは、通信制御部１４Ｂと、無線通信部１５と、メモリ１６とを有して構成される。
【０１２８】
通信制御部１４Ｂは、通信制御部１４Ｂの機能に加え、リスト２６ｂに基づいて、メモリ１６に記録されたデータファイル群１６ａから携帯端末２０Ｂへ送信するデータファイルを抽出し、無線通信部１５Ｂへ送る。リスト２６ｂは、無線通信部１５によって、第１のファイル要求信号に含まれた状態で、もしくは第１のファイル要求信号とともに受信される。尚、通信制御部１４Ｂは、「識別情報比較部」としての機能を有する。
【０１２９】
携帯端末２０Ｂは、近距離通信部２１Ｂと、アンテナ２２と、制御部２３とを有して構成される。また、近距離通信部２１Ｂは、通信制御部２４Ｂと、無線通信部２５と、メモリ２６とを有して構成される。
【０１３０】
通信制御部２４Ｂは、通信制御部２４の機能に加え、サーバ装置１０がファイル転送処理を開始する前に、ファイル転送処理におけるファイル転送モードとして第１のモードまたは第２のモードのいずれかを設定する。設定方法としては、例えば、図示しない入力部がユーザの指示によりモードを選択する方法などが考えられる。
【０１３１】
また、通信制御部２４Ｂは、ファイル転送モードとして第１のモードが設定されている場合、メモリ２６内のデータファイル群２６ａおよびリスト２６ｂに記録された情報をそのまま保持した状態で、リスト２６ｂを無線通信部２５へ送る。また、ファイル転送モードとして第２のモードが設定されている場合、メモリ２６内のデータファイル群２６ａおよびリスト２６ｂに記録された情報を削除し、リスト２６ｂを送る。この場合、リスト２６ｂは空リストとなる。リスト２６ｂは、無線通信部２５によって、第１のファイル要求信号に含まれて、もしくは第１のファイル要求信号とともに送信される。
【０１３２】
尚、通信制御部２４Ｂは、「ファイル削除部」、「モード設定部」としての機能を有する。
【０１３３】
次に、サーバ装置１０Ｂがファイル転送処理を行う場合の動作について説明する。図６は、サーバ装置１０Ｂがファイル転送処理を行う場合の動作の一例を示す図である。尚、図３で説明した処理と同一の処理については、同一の符号を付し、説明を省略または簡略化する。
【０１３４】
ステップＳ３１では、ステップＳ１１〜Ｓ１２の処理後、通信制御部１４Ｂが、ステップ１２で受信した第１のファイル要求信号の内容を調べ、リスト情報（リスト２６ｂの内容に相当）を抽出する。
【０１３５】
ステップＳ３２では、通信制御部１４Ｂが、メモリ１６が保持しているファイルのリスト１６ｂの内容に基づいて、第１のファイルを決定する。この場合、携帯端末２０Ｂからのリスト情報の内容を参照し、既に携帯端末２０Ｂ上に存在するファイルを第１のファイルから除外するように第１のファイルを決定する。例えば、リスト１６ｂの先頭に記述されているファイル名と一致する名称がステップＳ３１で抽出したリスト情報に含まれている場合には、リスト１６ｂの２番目あるいは３番目以降に記述されているファイル名のコンテンツを第１のファイルとして選択する。
【０１３６】
従って、ファイル転送モードとして第１のモード１が選択されている場合には、サーバ装置１０Ｂのメモリ１６に存在するコンテンツの中で、携帯端末２０Ｂのメモリ２６にまだ存在しないコンテンツだけがファイルのリスト１６ｂの中から選択され、ステップ３２において第１のファイル、ステップＳ３３において第２のファイル、ステップＳ３４において第３のファイル、・・・として順次転送される。
【０１３７】
また、ファイル転送モードとして第２のモード２が選択されている場合には、携帯端末２０Ｂ側のコンテンツが全て削除された後、ファイルのリスト１６ｂの内容に従い、新たなコンテンツとしてステップＳ３２において第１のファイル、ステップＳ３３において第２のファイル、ステップＳ３４において第３のファイル、・・・が順次転送される。この場合、携帯端末２０Ｂが要求する全てのファイルを転送することになる。
【０１３８】
尚、ステップＳ３２の処理後、ステップＳ１４の処理が行われる。また、ステップＳ１５の処理後、ステップＳ３３、Ｓ１７の処理が行われる。また、ステップＳ１８の処理後、ステップＳ３４の処理が行われ、処理が終了する。
【０１３９】
尚、ここでは、第１から第３のファイルまで転送されることを説明しているが、ファイルの数はこれに限られない。
【０１４０】
尚、リスト情報として、ファイル名だけでなく、コンテンツの種類（例えばドラマ、映画等の区分）を表す属性情報を付加しても良い。また、携帯端末２０Ｂの視聴履歴に基づいて、視聴頻度の高い属性を有するコンテンツが区別できる情報をリスト情報に含めても良い。その場合、サーバ装置１０Ｂのリスト１６ｂによって同様の属性情報を管理しておけば、無線通信部１４Ｂが、属性情報の一致／不一致や類似性を調べることが可能である。これにより、携帯端末２０Ｂの視聴頻度の高い種類のコンテンツをサーバ装置１０Ｂが認識し、該当するコンテンツの優先度を上げて、他のコンテンツよりも先にサーバ装置１０Ｂから携帯端末２０Ｂに転送することも可能になる。
【０１４１】
次に、携帯端末２０Ｂがファイル受信処理を行う場合の動作について説明する。図７は、携帯端末２０Ｂがファイル受信処理を行う場合の動作の一例を示す図である。
【０１４２】
ステップＳ４１では、通信制御部２４Ｂが、サーバ装置１０がファイル転送処理を開始する前に、ファイル転送モードを設定する。ステップＳ４１の処理後、ステップＳ２１の処理を行い、ステップＳ４２に進む。
【０１４３】
ステップＳ４２では、領域通知信号を検出した後、通信制御部２４Ｂが、ファイル転送モードを判定する。ファイル転送モードが第１のモードである場合にはステップＳ４３をスキップしてステップＳ４４に進み、ファイル転送モードが第２のモードである場合にはステップＳ４３に進む。
【０１４４】
ステップＳ４３では、ファイル転送モードが第２のモードである場合、メモリ２６内に存在しているデータファイル群２６ａおよびリスト２６ｂに記録された情報を全て削除する。
【０１４５】
ステップＳ４４では、無線通信部２５が、リスト２６ｂの情報を示すリスト情報を付加した第１のファイル要求信号ＳＧ４を送信し、サーバ装置１０Ｂからの第１のファイルを受信する。
【０１４６】
ステップＳ４４の処理後、ステップＳ２３〜Ｓ２６の処理が行われ、処理が終了する。
【０１４７】
従って、ファイル転送モードとして第１のモードが選択されている場合、リスト情報として携帯端末２０Ｂが保持するデータファイルの情報をサーバ装置１０Ｂへ送信されることになる。これにより、例えば、携帯端末２０Ｂにファイル要求の対象であるデータファイルが存在する場合には、データファイルの転送がされないため、ファイル転送に要する時間も短縮され、効率の良いファイル転送処理を行うことができる。
【０１４８】
また、ファイル転送モードとして第２のモードが選択されている場合、リスト情報として空のリスト情報がサーバ装置１０Ｂへ送信されることになる。これにより、例えば、携帯端末２０Ｂにファイル要求の対象であるデータファイルが存在する場合であっても、サーバ装置１０Ｂからデータファイルが再度転送されるため、最新のデータファイルを取得することが可能となる。
【０１４９】
このような通信システム２００によれば、携帯端末２０Ｂがサーバ装置１０Ｂから最新のファイルを取得すること、もしくは、携帯端末２０Ｂが保持しているファイル以外の転送対象ファイルのみを効率的に取得することが、例えばユーザのファイル転送モード設定により可能となる。
【０１５０】
（第３の実施形態）
図８は本発明の第３の実施形態における通信システム３００の構成の一例を示す図である。通信システム３００において、通信システム１００と同一の構成については、同一の符号を付し、説明を省略または簡略化する。
【０１５１】
通信システム３００は、サーバ装置１０および携帯端末２０Ｃを有する。通信システム３００では、サーバ装置１０から携帯端末２０Ｃに向けて近距離通信によりコンテンツのデータを転送することを想定している。携帯端末２０Ｃとしては、例えば携帯電話端末や携帯型情報端末のように、デジタルコンテンツの再生機能を有し、持ち運びが容易な端末が考えられる。
【０１５２】
通信システム３００では、サーバ装置１０と携帯端末２０Ｃとの間で通信が可能な状態は、両者の距離が例えば５０ｃｍ以下程度の所定領域の範囲内に限られる。この範囲を外れると、サーバ装置１０と携帯端末２０Ｃとの間で相互に無線信号が届かなくなり通信が不可能な状態になる。したがって、例えばサーバ装置１０の位置が固定されている場合には、ユーザが携帯端末２０Ｃを手で持ち、携帯端末２０Ｃをサーバ装置１０に所定以上近づけることにより近距離通信が可能な状態になり、このユーザが携帯端末２０Ｃをサーバ装置１０から遠ざけると近距離通信ができない状態になる。
【０１５３】
尚、通信システム３００は、「近距離通信システム」の一例である。また、携帯端末２０Ｃは、「近距離通信装置」の一例である。
【０１５４】
携帯端末２０Ｃは、近距離通信部２１Cと、アンテナ２２と、制御部２３とを有して構成される。また、近距離通信部２１Cは、通信制御部２４Ｃと、無線通信部２５と、メモリ２６とを有して構成される。
【０１５５】
通信制御部２４Ｃは、通信制御部２４の機能に加え、領域通知信号の検出動作を繰り返し、領域通知信号を所定期間内に継続的に受信できるか否かを判定する。これにより、ファイルの受信処理が中断されているか否かを確認することができる。
【０１５６】
また、通信制御部２４Ｃは、ファイルの受信処理が中断された後に、再び領域通知信号を所定期間内に継続的に受信できるか否かを判定する。これにより、ファイルの受信処理を再開することができる。
【０１５７】
尚、通信制御部２４Ｃは、「継続判定部」としての機能を有する。
【０１５８】
次に、携帯端末２０Ｃがファイル受信処理を行う場合の動作について説明する。図９は、携帯端末２０Ｃがファイル受信処理を行う場合の動作の一例を示す図である。
【０１５９】
ステップＳ５１では、通信制御部２４Ｃが領域通知信号を検出した後、つまり、携帯端末２０Ｃがサーバ装置１０の近距離通信可能な領域内に入った後で、再び領域外に出たかどうかを調べるために、通信制御部２４Ｃが、領域通知信号の検出動作を繰り返し、領域通知信号の受信が中断していないかどうかを確認する。ここでは、受信が中断していないかどうかは、領域通知信号を継続的に受信できるか否かで判断する。所定時間（例えば１秒間）以上にわたって領域通知信号を継続的に受信できた場合には、ステップＳ５１からステップＳ２２に進み、所定時間以内に領域通知信号の受信が不可能な状態になった場合にはステップＳ５２に進む。
【０１６０】
ステップＳ５２では、ステップＳ５１で領域通知信号の受信の中断を検出した場合、通信制御部２４Ｃが、再び領域通知信号の検出を試みる。そして、中断してから所定時間（例えば１秒間）以内に、再び領域通知信号の受信に成功した場合には、ステップＳ２２はスキップし、ステップＳ５３に進む。領域通知信号を再び検出できない場合には、処理を終了する。
【０１６１】
ステップＳ５３では、第１のファイルの受信が完了した後、あるいはステップＳ５２における中断検出後に領域通知信号が再び検出された場合には、携帯端末２０Ｃはサーバ装置１０から送信される領域通知信号（図２のＳＧ７）の検出に基づいて、領域通知信号の受信が中断していないかどうかを判断する。そして、所定期間（図２に示す第１の期間：例えば１秒間程度）を経過するまで領域通知信号の中断を検出しなければステップＳ２４に進み、領域通知信号の中断を検出した場合にはステップＳ５４に進む。
【０１６２】
ステップＳ５４では、ステップＳ５３で領域通知信号の受信の中断を検出した場合、通信制御部２４Ｃが、再び領域通知信号の検出を試みる。そして、中断してから所定時間（例えば１秒間）以内に、再び領域通知信号の受信に成功した場合には、ステップＳ２４はスキップし、ステップＳ５５に進む。領域通知信号を再び検出できない場合には、処理を終了する。
【０１６３】
ステップＳ５５では、第２のファイルの受信が完了した後、あるいはステップＳ５４における中断検出後に領域通知信号が再び検出された場合には、携帯端末２０Ｃはサーバ装置１０から送信される領域通知信号（図２のＳＧ１０）の検出に基づいて、領域通知信号の受信が中断していないかどうかを判断する。そして、所定期間（図２に示す第２の期間：例えば１秒間程度）を経過するまで領域通知信号の中断を検出しなければステップＳ２６の処理を行って終了し、領域通知信号の中断を検出した場合には処理を終了する。
【０１６４】
このような通信システム３００によれば、サーバ装置１０で転送候補になった第１のファイル、第２のファイル、第３のファイルのそれぞれを実際に携帯端末２０Ｃで受信するかどうかを個別に制御することができる。
【０１６５】
例えば、携帯端末２０Ｃをサーバ装置１０に接近させた状態をユーザがずっと維持していれば、携帯端末２０Ｃは、第１のファイル、第２のファイル、第３のファイルのそれぞれのコンテンツを順番に受信することができる。
【０１６６】
一方、例えば、第１のファイルの転送が開始する前に、ユーザが携帯端末２０Ｃをサーバ装置１０から遠ざけると、第１のファイルの受信は中止され、次のファイルを受信するための動作に移行する。この場合、所定時間以内に携帯端末２０Ｃをサーバ装置１０に再び近づけると、第２のファイルの転送が開始される。同様に、第２のファイルの転送が開始する前に、ユーザが携帯端末２０Ｃをサーバ装置１０から遠ざけると、第２のファイルの受信は中止され、次のファイルを受信するための動作に移行する。この場合、所定時間以内に携帯端末２０Ｃをサーバ装置１０に再び近づけると、第３のファイルの転送が開始される。したがって、例えば、携帯端末２０Ｃをサーバ装置１０に対して近づけたり遠ざけたりする極めて単純な操作をユーザが行うだけで、受信するファイルの数を変更したり、不要な特定のファイルの受信だけを省略することができ、ボタン操作等を行う必要はない。
【０１６７】
尚、ここでは、サーバ装置をサーバ装置１０として説明したが、サーバ装置１０Ｂを用いてもよい。この場合、通信システム２００と同様に、携帯端末２０Ｃがリスト情報をサーバ装置１０Ｂへ通知し、このリスト情報に基づいてファイル転送処理を行うことで、通信システム２００と同様の効果も得られる。
【０１６８】
尚、ここでは、サーバ装置１０の動作について説明を省略したが、携帯端末２０が中断を検出した場合には、ファイル送信要求がサーバ装置１０へ送信されないため、サーバ装置１０はファイルデータ送信を中止することになる。例えば、第１のファイル要求時に中断が検出された場合、第１のファイルデータ送信が中止される。また、例えば、第２のファイル要求時に中断が検出された場合、第２のファイルデータ送信が中止される。また、例えば、第３のファイル要求時に中断が検出された場合、第３のファイルデータ送信が中止される。
【０１６９】
尚、ここでは、特定のファイルの転送をスキップする操作を検出するために、領域通知信号の中断を監視しているが、他の操作で中断を検出しても良い。例えば、図示はしないが携帯端末２０Ｃの姿勢を検出する傾きセンサを携帯端末２０Ｃに搭載し、この傾きセンサが携帯端末２０Ｃの姿勢が所定以上の傾き（角度）になったことを検出した場合、あるいは傾きの変化が所定以上になったことを検出した場合に、通信制御部２４Ｃが領域通知信号による中断検出と同様の検出が行われたものとみなすように制御しても良い。また、図示しないユーザの指示によって入力部が中断のための入力を行い、この入力により領域通知信号による中断検出と同様の検出が行われたものとみなすように制御しても良い。
【０１７０】
尚、ここでは、サーバ装置１０が領域通知信号を送信する場合を想定しているが、通信システム３００に含まれる他の装置が領域通知信号を送信するように構成を変更しても良い。例えば、通信システム３００は無線ＬＡＮシステムとして構成されている場合、同一の無線ＬＡＮシステムに接続されている他の端末から領域通知信号を送信しても良い。
【産業上の利用可能性】
【０１７１】
本発明は、サーバ装置等から携帯端末等にコンテンツのデータを転送しようとする場合に、全体の転送所要時間を短縮可能にすると共に、ユーザへの負担も軽減可能な近距離通信装置、近距離通信システム等として有用である。
【図面の簡単な説明】
【０１７２】
【図１】本発明の第１の実施形態における通信システムの構成の一例を示すブロック図である。
【図２】本発明の第１の実施形態における通信システムにおける動作の一例を示すシーケンス図である。
【図３】本発明の第１の実施形態におけるサーバ装置の主要な動作の一例を示すフローチャートである。
【図４】本発明の第１の実施形態における携帯端末の主要な動作の一例を示すフローチャートである。
【図５】本発明の第２の実施形態における通信システムの構成の一例を示すブロック図である。
【図６】本発明の第２の実施形態におけるサーバ装置の主要な動作の一例を示すフローチャートである。
【図７】本発明の第２の実施形態における携帯端末の主要な動作の一例を示すフローチャートである。
【図８】本発明の第３の実施形態における通信システムの構成の一例を示すブロック図である。
【図９】本発明の第３の実施形態における携帯端末の主要な動作の一例を示すフローチャートである。
【符号の説明】
【０１７３】
１００、２００、３００  通信システム
１０、１０Ｂ  サーバ装置
１１、１１Ｂ  近距離通信部
１２  アンテナ
１３  制御部
１４、１４Ｂ  通信制御部
１５  無線通信部
１６  メモリ
１６ａ  データファイル
１６ｂ  リスト
２０、２０Ｂ、２０Ｃ  携帯端末
２１、２１Ｂ、２１Ｃ  近距離通信部
２２  アンテナ
２３  制御部
２４、２４Ｂ、２４Ｃ  通信制御部
２５  無線通信部
２６  メモリ
２６ａ  データファイル
２６ｂ  リスト
２７  報知部
【図１】
0005078079.tif 000002
【図２】
0005078079.tif 000003
【図３】
0005078079.tif 000004
【図４】
0005078079.tif 000005
【図５】
0005078079.tif 000006
【図６】
0005078079.tif 000007
【図７】
0005078079.tif 000008
【図８】
0005078079.tif 000009
【図９】
0005078079.tif 000010